(57)【要約】【課題】  コーナー支柱を構成することなくコスト削減できるとともに良好な外観を維持でき、厚みの異なる間仕切パネルを直角方向に強固且つ作業性良く連結することができる間仕切パネルの連結装置を提供せんとする。【解決手段】  直角に向かい合った両間仕切パネル側端２１、３１が臨む平面視矩形の空間Ｓ内に、縦方向に間隔をおいて複数の連結ブロック１０を設け、各連結ブロック１０における間仕切パネル側端２１、３１が臨むブロック端面１０Ａ、１０Ｂに、それぞれ各間仕切パネル側端に設けられた縦枠２０、３０を固定するための取付部１２、１３を設けた。【選択図】        図１
2005133399.tif 000002
【特許請求の範囲】
【請求項１】
厚みの異なる間仕切パネルを直角方向に連結するための連結装置であって、直角に向かい合った両間仕切パネル側端が臨む平面視矩形の空間内に、縦方向に間隔をおいて複数の連結ブロックを設け、各連結ブロックにおける前記間仕切パネル側端が臨む端面側に、それぞれ各間仕切パネル側端に設けられた縦枠を固定するための取付部を設けてなる間仕切パネルの連結装置。
【請求項２】
各連結ブロックの前記取付部を有する端面と反対側の端面に、前記取付部に固定された間仕切パネルと同じ厚みを有する間仕切パネルを固定するための取付部材を設け、これら各間仕切パネルを直線方向に連結してなる請求項１記載の間仕切パネルの連結装置。
【請求項３】
各連結ブロックにおける厚みの大きい間仕切パネル側端が臨む端面側の幅寸法を、当該パネル側端幅より小さく設定するとともに、厚みの小さい間仕切パネル側端が臨む端面側の取付部に対して、該パネル側端に設けられた縦枠に固定した連結部材を取り付けてなる請求項１又は２記載の間仕切パネルの連結装置。
【請求項４】
前記連結ブロックを、各間仕切パネル側端が臨む端面側に当該パネル側端と略同一の幅寸法を有する一体成形品により構成してなる請求項１又は２記載の間仕切パネルの連結装置。
【請求項５】
前記連結ブロックの間仕切パネルが臨まない端面側にカバーを取り付けるための掛止部を設けてなる請求項１〜４の何れか１項に記載の間仕切パネルの連結装置。
【発明の詳細な説明】
【技術分野】
【０００１】
本発明は、間仕切パネルの連結装置に係わり、更に詳しくは厚みの異なる間仕切パネルを直角方向に連結するための間仕切パネルの連結装置に関する。
【背景技術】
【０００２】
従来、二枚の間仕切パネルを直線状に連結した連結部分に他の間仕切パネルを直角に連結する態様としては、連結部分にコーナー支柱を介在させて二枚の間仕切パネルを連結するとともに、該コーナー支柱に他の間仕切パネルを同様に連結する構造が最も一般的である。しかし、このコーナー支柱を介在させる連結は、コーナー支柱が必要となることからコスト高となる。
【０００３】
また、取付台座の両側に前記間仕切パネルの表面に当接する脚板を折曲形成するとともに、一方の脚板から直線状に連結された両間仕切パネル間の目地溝内に挿入する挿入板を延設し且つ該挿入板の先端に間仕切パネルの係止孔に嵌合係止する上向きフックを形成した上取付金具及び下向きフックを形成した下取付金具の一対と、前記間仕切パネルの高さ及び厚さと略同一の上下長さ及び横幅を有する長尺部材であり、前記取付台座にネジ止めする基板の両側に該取付台座を外被する側板を有するとともに、前記基板の幅方向中央部分を前記縦枠の連結面側の構造と一致させ、該基板と間仕切パネルＢの縦枠とを接合し且つ前記連結具にて連結し得るカバー部材と、よりなる間仕切パネルの連結装置が提案されている（例えば、特許文献１参照。）。
【０００４】
しかし、このような連結装置は、縦枠に上下方向へ一定間隔毎に係止孔を形成した構造を有する間仕切パネルを用いることが前提となるため連結できるパネルが限られるとともに、板状の部材であることからその強度にも限界がある。また、直角方向に連結される間仕切パネルの接続端面の一側縁は、直線状に連結している間仕切パネルの目地溝に沿った位置に配置され、他側縁は相手側の間仕切パネルの外側面上に位置することとなるため、当該位置には目地溝内の係止孔を利用して棚板等を取り付けることができず不便であり、笠木の継ぎ目も前記一側端側に位置することから意匠的にも好ましくなかった。
【０００５】
これに対し、左右両側部が縦枠で構成された間仕切パネルの矩形状フレームを、連結金具を介して平面視Ｌ字状やＴ字状、十字状等に連結する構造であって、前記縦枠と連結金具とに、当該両縦枠をフレームの厚さ方向にずれ不能に保持する位置決め部材が嵌まる位置決め穴を形成し、前記位置決め部材を、フレームの内側からの操作によって前記位置決め穴に貫通し、前記位置決め部材に、縦枠の内側に当接する基部を形成し、この縦枠の基部と縦枠と連結金具との三者を、それらに貫通したボルト及びこれに螺合したナットとで一体に締結していることを特徴とするフレームの連結構造も提案されており（例えば、特許文献２参照。）、これにより連結強度を維持しつつ外観上もバランスの取れた連結構造が実現されたが、略正方形の連結金具は、位置決め部材を介して縦枠を連結する位置決め穴を四方に設けた構造を有しており、位置決め部材の組付けをボルト止めと同時に行う必要があるため作業効率が悪く、また、位置決め部材を装着しうる同一構造の間仕切パネルを連結するためのものであった。
【０００６】
【特許文献１】特開平８−１８９１１２号公報
【特許文献２】特開平１１−１３１６４０号公報
【発明の開示】
【発明が解決しようとする課題】
【０００７】
そこで、本発明が前述の状況に鑑み、解決しようとするところは、コーナー支柱を構成することなくコスト削減できるとともに良好な外観を維持でき、厚みの異なる間仕切パネルを直角方向に強固且つ作業性良く連結することができる間仕切パネルの連結装置を提供する点にある。
【課題を解決するための手段】
【０００８】
本発明は、前述の課題解決のために、厚みの異なる間仕切パネルを直角方向に連結するための連結装置であって、直角に向かい合った両間仕切パネル側端が臨む平面視矩形の空間内に、縦方向に間隔をおいて複数の連結ブロックを設け、各連結ブロックにおける前記間仕切パネル側端が臨む端面側に、それぞれ各間仕切パネル側端に設けられた縦枠を固定するための取付部を設けてなる間仕切パネルの連結装置を構成した。
【０００９】
ここで、各連結ブロックの前記取付部を有する端面と反対側の端面に、前記取付部に固定された間仕切パネルと同じ厚みを有する間仕切パネルを固定するための取付部材を設け、これら各間仕切パネルを直線方向に連結してなるものが好ましい。
【００１０】
また、各連結ブロックにおける厚みの大きい間仕切パネル側端が臨む端面側の幅寸法を、当該パネル側端幅より小さく設定するとともに、厚みの小さい間仕切パネル側端が臨む端面側の取付部に対して、該パネル側端に設けられた縦枠に固定した連結部材を取り付けてなるものが好ましい。
【００１１】
また、前記連結ブロックを、各間仕切パネル側端が臨む端面側に当該パネル側端と略同一の幅寸法を有する一体成形品により構成してなるものも好ましい。
【００１２】
更に、前記連結ブロックの間仕切パネルが臨まない端面側にカバーを取り付けるための掛止部を設けてなるものが好ましい。
【発明の効果】
【００１３】
以上にしてなる本願発明に係る間仕切パネルの連結装置は、コーナー支柱の代わりに縦方向の所定位置に複数の連結装置を介装して間仕切パネルを連結することからコストを大幅に削減しつつ良好な外観を維持することができる。
また、厚みの異なる間仕切パネルを直角方向に強固に連結することができ、作業性も向上することとなる。
【発明を実施するための最良の形態】
【００１４】
次に、本発明の実施形態を添付図面に基づき詳細に説明する。
【００１５】
図１は、本発明に係る連結装置の全体構成を示す図であり、図１〜１０は第１実施形態を示し、図中符号１は連結装置、２Ａ、２Ｂ、３Ａは間仕切パネル、１０は連結ブロックをそれぞれ示している。
【００１６】
本発明に係る連結装置１は、図１に示すように、厚みの異なる間仕切パネル２Ａ、３Ａを直角方向に連結するための装置であって、直角に向かい合った両間仕切パネル側端２１、３１が臨む平面視矩形の空間Ｓ内に、縦方向に間隔をおいて複数の連結ブロック１０、・・・を設け、各連結ブロック１０における前記間仕切パネル側端２１、３１が臨むブロック端面１０Ａ、１０Ｂに、それぞれ各間仕切パネル側端２１、３１に設けられた縦枠２０、３０を固定するための取付部１２、１３を設けたものである。連結ブロック１０の数は連結する間仕切パネルの高さに応じて適宜設定され、例えば低いパネルの場合には上下２箇所にそれぞれ設けることで連結することができ、より高いパネルの場合は、中間部に単または複数の連結ブロックを設けてより安定に連結させることが好ましい。
【００１７】
連結ブロック１０における比較的厚みの大きい間仕切パネル２Ａの側端２１が臨む端面側の幅Ｘは、該パネル側端２１の幅Ｙよりも小さい寸法に設定されており、比較的厚みの小さい間仕切パネル３の側端３１が臨む端面側の取付部１３に対して、予め連結部材４が固定された前記パネル側端３１の縦枠３０Ａが該連結部材４を介して固定されている。
【００１８】
連結ブロック１０は、縦枠２０の高さ方向に沿った複数箇所に固定された後、間仕切パネル３Ａや他の間仕切パネルが所定方向に接続されるものであり、本実施形態では、ブロック端面１０Ａに取付部１２として縦枠２０Ａの凹部２２に嵌合する凸条部１７を突設し、該凸条部１７の縁部から突出した一対の突条１２ａを凹部２２縁部に形成された溝２２ｂに嵌め込むとともに、凸条部１７の端面には螺溝１２ｂが穿設され、縦枠２０Ａの通孔２３にパネル内側から挿通された取付ボルト２４を螺溝１２ｂに螺合することにより縦枠２０Ａが固定されている。
【００１９】
間仕切パネル３Ａを連結するための連結部材４には、図２に示すように、ブロック端面１０Ｂへの当接面４０にブロック端面１０Ｂの凹溝１０ｂに嵌合する位置決め用の突条４０ａと縦方向に沿った凹溝４０ｂが形成されており、該凹溝４０ｂの底壁には、縦枠３０Ａ側のナットに螺合する取付ボルト４１を挿通させる通孔４２と、縦枠３０Ａ側から挿通されてブロック端面１０Ｂの取付部１３に螺合する取付ボルト１３ａを挿通させる通孔４３とがそれぞれ設けられている。前記当接面４０は、ブロック端面１０Ｂと略同一の幅を有し、且つ反対側の前記縦枠３０Ａへの取付面４４は、前記当接面４０より狭い縦枠３０Ａと略同一幅を有しており、全体として断面視略Ω形状の部材である。
【００２０】
また、前記連結部材４には、連結される間仕切パネル３Ａと該パネルに対して直交する間仕切パネル２Ａ、２Ｂとの間に形成される各コーナー目地部に向けて、それぞれ目地カバー５１、５１を装着するための突起４５、４５が突設されており、各突起４５には、断面視略Ｌ字形の目地カバー５１の裏面側から突出した係止片５０を掛止するための凹部４５ｂが形成されている。なお、後述のコーナーカバー８Ａや連結部カバー８Ｂを取り付ける場合も、前記突起４５にこれらコーナーカバー等を係合して取り付けることとなる。このような連結部材４は、取付ボルト４１、４１により縦枠３０Ａに対して一体的に固定された後、縦枠３０Ａのパネル内側から挿通された取付ボルト１３ａをブロック端面１０Ｂに取付部１３として穿設された螺溝１４に螺合することにより、縦枠３０Ａとともに連結ブロック１０に取り付けられる。
【００２１】
本例のパネル連結構造においては、ブロック端面１０Ａと反対側の端面１０Ｃに、間仕切パネル２Ａと同じ厚みを有する間仕切パネル２Ｂを固定するための取付部材６が着脱可能に設けられ、これにより両間仕切パネル２Ｂが間仕切パネル２Ａに対して直線方向に連結されている。尚、ブロック端面１０Ｃは直角方向に連結される間仕切パネル３Ａの外側面よりも後述するコーナーカバーや連結部カバーの厚み分だけ落ち込んだ寸法に設定され、前記間仕切パネル２Ｂを連結しない場合に、前記取付部材６の代わりに装着される前記カバーの外面が間仕切パネル３Ａの外側面と略面一となるように構成されており、一方の取付部材６は、連結される間仕切パネル２Ｂが間仕切パネル３Ａに対して間仕切パネル２Ａと対称な位置になるように、その厚みが設定されている。
【００２２】
取付部材６が装着されるブロック端面１０Ｃには、該取付部材６を嵌め込むための凹部１５が形成されており、取付部材６の左右端縁に設けられた一対の突条６１、６１を前記凹部１５の底壁縁部に形成した凹溝１５ｂ、１５ｂに嵌合させた状態で、該取付部材６の貫通孔６０に挿着した取付ネジ６２を前記底壁の螺孔１５ｃに螺合することにより固定されている。前記取付部材６の間仕切パネル２Ｂに対向する側の端面には、同じく左右側縁に一対の突条６３、６３が設けられ、該突条６３、６３が縦枠２０Ｂに形成された縦溝２５内に嵌合するように構成されている。また取付部材６には、前記縦枠２０Ｂに形成された通孔２６にパネル内側から挿通した取付ボルト６４を螺合するための螺孔６５が設けられており、連結ブロック１０側に固定された当該取付部材６に対し、この取付ボルト６４を用いて間仕切パネル２Ｂが連結されている。
【００２３】
間仕切パネルが臨まないブロック端面１０Ｄには、上記空間Ｓを閉塞する長尺な連結部カバー８Ａを装着するための掛止部が設けられている。具体的には、貫通した取付ボルト７２を当該ブロック端面１０Ｄの螺孔１６に螺合することによりブラケット部材７が固定されており、該ブラケット部材７には、ブロック端面１０Ｄの角部に嵌合する位置決め用の突条７ａが両縁部に設けられるとともに、間仕切パネル２Ａ、２Ｂの目地部に向けて、上述の連結部材４と同様、突起７３、７３が突設されている。
【００２４】
連結部カバー８Ａは、より詳しくは図２に示すように、略平板状の本体部８０Ａと、その両側端から内方へ折曲してブラケット部材７とパネル側端との隙間に挿入される第一折曲部８１と、その先端部を更に内方に折曲してなる第二折曲部８２とより構成され、第二折曲部８２の各連結ブロック１０に対応する位置には、それぞれブラケット部材７を受け入れるための段付きの切欠溝８３が形成されている。
【００２５】
そして、各切欠溝８３にブラケット部材７を受け入れ、本体部８０Ａの内面をブラケット部材７の突条７４、７４先端面に当接させた状態のまま当該連結部カバー８Ａ全体を下方に移動させることで、前記切欠溝８３の段差部８３ａがブラケット部材７の上端面に当接し、当該段付きの切欠溝８３の上縁部８３ｂが突起７３の基端部７３ｃに係止されることにより密着状態で安定保持されている。尚、突条７４先端面は、装着された連結部カバー８Ａの外面が間仕切パネル２Ａ、２Ｂの外側面と面一になるように、それぞれ当該連結部カバー８Ａの厚み分だけ落ち込んだ寸法に設定されている。
【００２６】
以上の実施形態においては、比較的厚みの大きな間仕切パネル２Ａ、２Ｂの接続部分から直交する方向に厚みの薄い間仕切パネル３Ａを連結したパネル連結形態について説明したが、その他のパネル連結形態の例について図４〜９に基づき説明する。
【００２７】
図４は、上述のカバー部材５２とそのブラケット部材７を設ける代わりに、当該ブロック端面１０Ｄの方向に間仕切パネル３Ａと同一厚みの間仕切パネル３Ｂを更に接続したパネル連結形態を示しており、比較的厚みの大きな間仕切パネル２Ａ、２Ｂの列と比較的厚みの小さな間仕切パネル３Ａ、３Ｂの列が直角に交差するように各パネルが連結ブロック１０を介して四方に接続されている。間仕切パネル３Ｂは、間仕切パネル３Ａの接続構造と同様、取付ボルト４１により連結部材４を縦枠３０Ｂに取り付けた後、縦枠３０Ｂのパネル内側から挿通して当該連結部材４に設けられた通孔４２に貫通した図示しない取付ボルトを、取付部としてブロック端面１０Ｄに穿設された螺溝に螺合して固定されている。連結される間仕切パネル３Ｂと間仕切パネル２Ａ、２Ｂとの間に形成される各コーナー目地部には、それぞれ連結部材４の突起４５、４５に対して目地カバー５１、５１が装着される。尚、後述の図９に示すブロック連結形態と同様であるが、間仕切パネル３Ａ側の連結部材４と間仕切パネル３Ｂ側の連結部材４にそれぞれ設けられている突条４０ａ、４０ａは、おのおの連結部材４の中央から側方にずれた互いに異なる位置に突設されており、前記連結部材４を取り付けた間仕切パネル３Ａをブロック端面１０Ｄに取り付けることはできず、同じく前記連結部材４を取り付けた間仕切パネル３Ｂをブロック端面１０Ｂに取り付けることはできないように構成されている。
【００２８】
尚、連結する間仕切パネルの少なくとも一つが他と比べて低いパネルの場合には、当該パネルより上側に開放される空間Ｓを閉塞すべく、図５に示すように、当該パネルより上側に設けられる連結ブロック１０のブロック端面１０Ｄにブラケット部材７が固定され、これにカバー部材５２が掛止される。カバー部材５２は、図６に示すように両側端に内方へ屈曲した折返部を有する略平板状のカバー本体５３と内面中央部に沿って突出する筒状凸部５４とより構成された長尺部材であり、取付ネジ５６により前記ブラケット部材７に対応する位置にフック５５が設けられており、これらフック５５を対応するブラケット部材７の取付穴７１に係止することで、カバー部材５２が掛止されている。また、ブラケット部材７には、前記カバー部材５２の筒状凸部５４を受け入れ安定保持するための凹溝７０が設けられている。尚、図５では間仕切パネル３Ｂが他と比べて低い場合の例を示したが、間仕切パネル３Ａが低い場合も同様である。
【００２９】
図７は、間仕切パネル２Ｂを接続せずに間仕切パネル２Ａ、３Ａのみ直角方向に接続したパネル連結形態を示しており、取付部材６は不要とされ、連結部カバー８Ａの代わりにブロック端面１０Ｃ、１０Ｄを連続的に覆う断面視略Ｌ字形のコーナーカバー８Ｂが設けられている。コーナーカバー８Ｂは、より詳しくは図８に示すように、断面視略Ｌ字形の本体部８０Ｂと、その両側端から内方へ折曲して連結部材４或いはブラケット部材７とパネル側端との隙間に挿入される第一折曲部８１と、その先端部を更に内方に折曲してなる第二折曲部８２とより構成され、第二折曲部８２の各連結ブロック１０に対応する位置には、それぞれ連結部材４或いはブラケット部材７を受け入れるための段付きの切欠溝８３が形成されている。
【００３０】
そして、各切欠溝８３に連結部材４及びブラケット部材７を受け入れ、本体部８０Ｂの内面をブロック端面１０Ｃ及びブラケット部材７の凹溝７０を囲む一対の突条７４、７４の先端面に当接させた状態のまま当該コーナーカバー８Ｂ全体を下方に移動させることで、前記切欠溝８３の段差部８３ａが連結部材４或いはブラケット部材７の上端面に当接し、当該段付きの切欠溝８３の上縁部８３ｂが突起４５、７３の基端部４５ｃ、７３ｃに係止されることにより密着状態で安定保持されている。尚、上記ブロック端面１０Ｃは、前記突条７４の先端面と同様、装着されたコーナーカバー８Ｂの外面が間仕切パネル３Ａの外側面と面一になるように当該コーナーカバー８Ｂの厚み分だけ落ち込んだ寸法に設定されている。
【００３１】
図９は、間仕切パネル２Ｂを接続せず、間仕切パネル２Ａに対して、厚みの小さな間仕切パネル３Ａ、３Ｂを左右直角の方向にそれぞれ接続したパネル連結形態を示しており、間仕切パネル３Ａ、３Ｂは互いに直線方向に連結されている。
間仕切パネル３Ｂの連結構造については、上述の図４の構造と同様であり、ブロック端面１０Ｃを覆う連結部カバー８Ｃが設けられている。連結部カバー８Ｃは、上述の連結部カバー８Ａと同様、略平板状の本体部８０Ｃの両側端から内方へ折曲して連結部材４、４とパネル側端との隙間に挿入される第一折曲部８１と、更にその先端を内方に折曲してなる第二折曲部８２とより構成されている。これら第一折曲部８１や第二折曲部８２の構造は上記連結部カバー８Ａと同様であり、図示しない切欠溝に連結部材４を受け入れ、本体部８０Ｂの内面をブロック端面１０Ｃに当接させた状態のまま当該連結部カバー８Ｂの全体を下方に移動させることで突起４５に係合し、密着状態で安定保持されている。
【００３２】
尚、本実施形態の連結部材４は、縦枠３０Ａに螺合する取付ボルト４１を挿通させる通孔４２を設けたものであるが、図１０に示すように、凹溝４０ｂの開口端部に形成した切欠部４８に嵌り込んで、当該連結部材４を縦方向に跨いで縦枠３０Ａに支持させるための側面視略Ω形の取付金具４６を設けてなり、該取付金具４６の上下の支持脚４７、４７に設けた通孔４７ｃ、４７ｃに取付ボルト４１を挿通して縦枠３０Ａに固定するものも好ましい実施例である。これにより前記通孔４２を省略できることから連結部材４自体の縦寸法を小さくでき、本例ではブラケット部材７と同一高さに設定され、例えば上記コーナーカバー８Ｂを取付ける際にも、該カバーに形成する切欠溝８３の高さを小さくできることとなり、該カバー８Ｂに設ける一対の切欠溝８３、８３を互いに同一寸法に設定することが可能となる。
【００３３】
次に、本発明の第２実施形態を図１１に基づき説明する。
【００３４】
本実施形態の連結装置１は、上記第１実施形態における連結ブロック１０の各ブロック端面１０Ａ〜１０Ｄを必要な取付部を残して他を切り欠いた形態を有している。具体的には、ブロック端面１０Ａにおいては取付部１２として機能する凸条部１７を残してそれより下端側に内部空間に連通する切欠溝１７ｄを形成し、これに対向するブロック端面１０Ｃにおいては取付部材６を嵌め込む凹溝１５を囲む壁部を残してそれより下端側に同じく内部空間に連通する切欠溝１５ｄを形成し、連結部材４やブラケット部材７が当着するブロック端面１０Ｂ、１０Ｄにおいては、間仕切パネル３Ａ、３Ｂの縦枠を固定するための取付ボルト１３ａが螺合する螺孔１４及びブラケット部材７を固定する取付ボルト７２が螺合する螺孔１６、１６を有する壁部を残してそれより上端側に同じく内部空間に連通する切欠溝１０ｄ、１０ｄが形成されている。
【００３５】
このような連結ブロック１０は、前記螺孔１４、１６を備えた一対の板状連結部１１Ｂ、１１Ｄが、前記凸条部１７を備えた板状連結部１１Ａ、及び前記凹溝１５を備えた板状連結部１１Ｃにより、互いに上端側で連結された構造を有しており、このように一対の対向する板状連結部１１Ｂ、１１Ｄを、これと段違いに直角方向に対向する一対の板状連結部１１Ａ、１１Ｃによって連結した構造とすることにより、必要な機能を維持しつつスリムな構成となり、材料コストを大幅に削減できることとなる。その他の構造については第１実施形態と同じであるので、同一構造には同一符号を付してその説明は省略する。
【００３６】
次に、本発明の第３実施形態を図１２及び図１３に基づき説明する。
【００３７】
上述の第１実施形態では連結ブロック１０に連結部材４やブラケット部材７を取り付けていたのに対し、本実施形態の連結装置１は、前記連結部材４及びブラケット部材７の機能を兼用する左右対称の取付部１８、１８を連結ブロック１０に一体的に成形したものであり、間仕切パネル２Ａ、２Ｂに対する取付部の構造については第１実施形態と同じであるので、同一構造には同一符号を付してその説明は省略する。
【００３８】
一体成形された取付部１８は、間仕切パネル３Ａの縦枠３０Ａと同一幅の凸条部１８ａを有し、該凸条部１８ａの端部には後述のスペーサ部材９を装着するための凹溝１８ｂが形成されている。また、連結部材４やブラケット部材７と同様、連結される間仕切パネル３Ａと該パネルに対して直交する間仕切パネル２Ａ、２Ｂとの間に形成される各コーナー目地部の位置に向けて、それぞれ目地カバー５１、５１を装着するための突起１８ｄ、１８ｄが突設されている。このような連結ブロック１０を構成した連結装置は、上述の第１実施形態に比べて部品点数を削減できることになる。
【００３９】
前記取付部１８、１８は、間仕切パネルが接続されない場合、図１２に示すように突起１８ｄ、１８ｄに係合して連結部カバー８Ａを装着することができるが、装着された連結部カバー８Ａ外面が間仕切パネル２Ａの外側面と略面一になるように、前記凸条部１８ａの突出寸法は、パネル外側面からカバーの厚み分だけ落ち込むように設定され、間仕切パネル３Ａを連結する場合には、当該落ち込み分を補うためにスペーサ部材９が介装される。
【００４０】
前記スペーサ部材９は、図１３にも示すように前記連結部カバー８Ａと略同じ厚みを有する板状基体の中央部に前記凹溝１８ｂに対応する突出部を形成した略凸形状の板状本体部９０と、その両側端縁にＴ字状に突出形成された鍔条部９１、９１とより構成されており、上下端には連結ブロック側に延びる係止片９２、９２が突設され、略中央部には後述の取付ボルト１９が螺合する取付部１８の螺孔１９ｂに対応する位置に該取付ボルト１９を挿通する通孔９３が穿設されている。
【００４１】
このスペーサ部材９は、前記取付部１８に対して前記鍔条部９１、９１間に凸条部１８ａを挿着するとともに、上下貫通して設けられた取付穴１８ｃの上下開口端に前記係止片９２、９２を係止することにより装着されており、間仕切パネル３Ａは、前記スペーサ部材９の鍔条部９１、９１間に縦枠３０Ａを挿着させた状態で、パネル内面側から挿通して通孔９３を貫通した取付ボルト１９を前記螺孔１９ｂに螺合することで、前記取付部１８に連結されている。本実施例ではスペーサ部材９を各連結ブロック毎に装着しているが、間仕切パネル３Ａと略同一高さの長尺部材で構成し、各連結ブロックに係合する係止片を突設してなるものも可能である。
【００４２】
なお、取付部１８への連結部カバー８Ａの取付構造は上述の第１実施形態と同様であり、連結部カバー８Ａの代わりに図５、６に示したカバー部材５２を上記取付穴１８ｃを利用して掛止することも可能である。また、間仕切パネル２Ａを連結せずにコーナーパネル８Ｂを装着することや連結部カバー８Ａの代わりに間仕切パネル３Ｂを連結することなど、さまざまなパネル連結形態が採用できることも第１実施形態と同様である。
【００４３】
次に、本発明に使用する間仕切パネルについて図１４〜図２４に基づいて詳細に説明する。本実施形態の間仕切パネル１００（２Ａ）は、図１４及び図１５に示すように、フレーム１０１の表裏両側にパネル板１０２，１０２を取付けるとともに、最下段には巾木（図示せず）を取付け、フレーム１０１の上端には笠木（図示せず）を取付け、更に端部に位置するフレーム１０１には側カバー（図示せず）を取付けて構成している。ここで、本実施形態では、上下寸法が小さい複数枚のパネル板１０２，…を上下方向に配列させて取付けた分割式の間仕切パネルを例示している。
【００４４】
前記フレーム１０１は、図１４〜図１７に示すように、両側縦枠１０３（２０Ａ），１０３（２０Ａ）の上下端部間に上横枠１０４と下横枠１０５をそれぞれ横設するとともに、上下中間部間に単又は複数の中横枠１０６を横設したものである。ここで、本実施形態では、前記縦枠１０３（２０Ａ）を四角パイプの芯杆１０７とその外側面部と前後面部を覆う係止杆１０８とで構成し、前記芯杆１０７に係止杆１０８を溶接するとともに、前記芯杆１０７と略同形状の四角パイプの上横枠１０４、下横枠１０５及び中横枠１０６を溶接して連結している。従って、前記上横枠１０４、下横枠１０５及び中横枠１０６の奥行幅は、前記縦枠１０３の奥行厚さよりも小さくなっている。そして、前記縦枠１０３を構成する係止杆１０８の表面中央部には、前記パネル板１０２を係止する上下一対の開口１０９，１０９を、上下方向に位置を変えて複数対形成するとともに、側端縁に沿った上下方向にオプション支持用のフックを係止するための係止孔１１０，…を一定間隔毎に形成している。
【００４５】
前記パネル板１０２は、図１４、図１５及び図１９に示すように、スチール製の表面板１１１の背面側周囲に縁部１１２を形成し、少なくとも両側縁部１１２，１１２には前記表面板１１１と略平行な折曲板１１３を形成するとともに、背面側中央部に上下方向の補強部材１１４を固着し、前記折曲板１１３の上下部に取付孔１１５，１１５を形成し、また前記補強部材１１４の下部に同様な取付孔１１６を形成し、下方の取付孔１１５と中央部の取付孔１１６に同一部材の下部連結具１１７を内嵌するとともに、上方の取付孔１１５に上部連結具１１８を内嵌したものである。ここで、前記下部連結具１１７，…の上下位置は全て一致させている。
【００４６】
そして、前記フレーム１０１の両側の縦枠１０３，１０３に形成した上下左右の開口１０９，…に、前記下部連結具１１７に設けた下向きフック１１９を係止するとともに、前記上部連結具１１８に設けた係合爪１２０を抜止め状態で弾性係合させて前記パネル板１０２を着脱自在に取付けるのである。尚、前記パネル板１０２は、前記表面板１１１を覆うようにクロスを張ったものでも良く、またクッション性を有する化粧シートを貼ったものでも、スチール面を塗装仕上げしたものでも良い。また、前記パネル板１０２として、多数の小孔が開いたパチングメタルや波板状に成形したものを採用することも可能である。更に、後述するように額縁部材でガラス板等の透光板を保持した透光性パネルを、前記パネル板１０２の代わりに用いることも好ましい。
【００４７】
前記当止具１２１は、図１４、図１５、図１７及び図１８に示すように、水平な連結板部１２２の前後両側に垂直な当止板部１２３，１２３を一体形成した断面略Ｈ字形を有する合成樹脂製のものであり、上下一方に前記連結板部１２２と両当止板部１２３，１２３とで前記横枠１０５，１０６を上方又は下方から抜止め状態で外嵌する嵌合部１２４を形成するとともに、該嵌合部１２４を設けた側とは反対側であって、前記連結板部１２２と両当止板部１２３，１２３とで囲まれる空間に、間仕切パネルの連結用のボルト部材Ｂを保持する単又は複数の保持部１２５，…を設けた構造である。このように断面略Ｈ字形に構成した前記当止具１２１は、前記嵌合部１２４を設けた側とは反対側の両当止板部１２３，１２３を接近する方向に押圧すると、前記嵌合部１２４を形成する両当止板部１２３，１２３が拡開して該嵌合部１２４内に前記横枠１０５，１０６を収容可能となるとともに、押圧力を解除すると両当止板部１２３，１２３が弾性復元して嵌合部１２４が前記横枠１０５，１０６に抜止め状態で外嵌可能である。
【００４８】
更に、前記当止具１２１の嵌合部１２４は、前記横枠１０５，１０６を上方又は下方から嵌合収容する凹部１２６と、前記両当止板部１２３，１２３の内側端部に設けた抜止め用の突起１２７，１２７とで形成されている。また、前記当止具１２１の保持部１２５は、前記連結板部１２２から立ち上げた先端が接近して湾曲した一対の突片１２８，１２８で形成されている。そして、前記当止具１２１は、外形における奥行厚さ、つまり両当止板部１２３，１２３の最大外寸を前記縦枠１０３の奥行厚さと略一致させている。
【００４９】
また、前記当止具１２１の両当止板部１２３，１２３の各上下縁は、前記下部連結具１１７の下向きフック１１９を係止可能な上方係止縁１２９と下方係止縁１３０となっている。そして、図１５に示すように、前記当止具１２１を前記中横枠１０６に上方から嵌合して取付けた状態で、前記上方係止縁１２９の高さは、その両側にある一対の開口１０９，１０９の内、下方の開口１０９における開口下縁の高さと一致させている。また、前記当止具１２１を前記下横枠１０５に下方から嵌合して取付けた状態で、前記下方係止縁１３０（上向き）の高さは、その両側にある一対の開口１０９，１０９の内、下方の開口１０９における開口下縁の高さと一致させている。
【００５０】
そして、前記当止具１２１の嵌合部１２４を設けた側とは反対側の両当止板部１２３，１２３を指で摘んで嵌合部１２４を拡開させ、横枠１０５，１０６に外挿した後、指を離すだけで、前記横枠１０５，１０６に抜止め状態で外嵌することができ（図１５参照）、この状態で図２０に示すように、前記パネル板１０２を前記フレーム１０１の両縦枠１０３，１０３に取付けると、当該当止具１２１の当止板部１２３，１２３で該パネル板１０２の背面側、具体的にはパネル板１０２の背面側の上方縁部１１２又は下方縁部１１２を当止し、該パネル板１０２の内方への撓みを防止するのである。
【００５１】
更に詳しくは、前記パネル板１０２の両側部に取付けた前記下部連結具１１７，１７７の下向きフック１１９，１１９を縦枠１０３の下方の開口１０９に係止するとともに、中央部下部に取付けた下部連結具１１７の下向きフック１１９を前記当止具１２１の上方係止縁１２９に係止し、それから両側上部の前記上部連結具１１８の係合爪１２０を下方の開口１０９に抜止め状態で弾性係合させて取付ける（図２１参照）。実際には、前記当止具１２１の当止板部１２３の外面上部には上方のパネル板１０２の下方縁部１１２を当止する低いリブ１３１，…を突設し、当止板部１２３の外面下部は下方のパネル板１０２の上方縁部１１２に外嵌した弾性目地部材１３２を当止するのである。この状態では、前記パネル板１０２の中央部の背面側下方縁部１１２が前記当止具１２１の当止板部１２３で当止されて内方への撓みを防止するとともに、背面側中央部下部に設けた下部連結具１１７の下向きフック１１９が当該当止具１２１の上方係止縁１２９に係止しているので、外方への撓みも確実に防止することができる。
【００５２】
ここで、前記フレーム１０１の上横枠１０４は、両縦枠１０３，１０３の上端間に渡設され、その上面に前記笠木を密着させてネジ止めするので、前記当止具１２１を装着することができない。しかし、最上段のパネル板１０２の上端に設けた目地部材１３２は、前記笠木の下面縁に沿って下設したリブに係合しているので、内外の撓みはもともと抑制されており、前記当止具１２１による撓み防止は不要である。また、前記下横枠１０５はその下方に巾木を装着するので、上方の中横枠１０６とそれに直近の開口１０９の位置関係と、該下横枠１０５とそれに直近の開口１０９の位置関係とは異なっている。しかし、前述のように前記下横枠１０５には、前記当止具１２１を下方から嵌着することによって、直近の両側の開口１０９の下縁と該当止具１２１の下方係止縁１３０とは同一線上になるように設定しているので、該下方の開口１０９，１０９にパネル板１０２の両側部の下部連結具１１７の下向きフック１１９を係止すると同時に、パネル板１０２の背面側中央部下部に取付けた下部連結具１１７の下向きフック１１９を当止具１２１の下方係止縁１３０に係止することができる。
【００５３】
ここで、前記縦枠１０３に対する上横枠１０４の取付位置は上端部であり、下横枠１０５の取付位置は巾木の上縁に対応する位置であり、中横枠１０６の取付位置は対となった前記開口１０９，１０９の対と対の中間である。そして、前記パネル板１０２の上下幅は、一対の前記開口１０９，１０９を利用して取付け得る最小の基準幅の整数倍のものを適宜選択して取付けることができ、この場合にも上下のパネル板１０２，１０２の接合部分に対応する位置にある前記中横枠１０６に前記当止具１２１を外嵌して接続部分に対応する上下のパネル板１０２，１０２の背面側の各縁部１１２を当止するのである。
【００５４】
また、図２２は、パネル板１０２の他の実施形態を示し、このパネル板１０２は上下に連続する二対の前記開口１０９，…を利用してフレーム１０１に取付けるようにしてものであり、前記両側の折曲板１１３，１１３にそれぞれ二対の取付孔（図示せず）を形成し、この８個の取付孔に全て同じ下部連結具１１７，…を取付け、更に背面側の中央部に上下方向に設けた補強部材１１４の下部に設けた取付孔（図示せず）に、同様に下部連結具１１７を取付けて構成したものである。
【００５５】
最後に、図２３及び図２４は、前記フレーム１０１に、開口部を有する額縁部材１３４にガラス板やアクリル板等の透光板１３５を装着した透光性パネル１３３，…を複数上下に並べて装着する実施形態を示している。ここで、前記額縁部材１３４は、アルミニウムの押出し型材の端部を４５度の角度で切断して両側縦部材１３６，１３６と上下横部材１３７，１３７を形成し、その切断部で突き合わせた状態でＬ金具１３８にてネジ止め連結し、正面視四角形状となしたものである。ここで、前記縦部材１３６と横部材１３７は表面部に断面Ｌ字形の保持縁１３９を形成し、各保持縁１３９が連続して前記透光板１３５の周囲を嵌合保持している。そして、前記額縁部材１３４の両縦部材１３６，１３６の背面側上下部と下方横部材１３７の背面側中央部に、前記一対の開口１０９，１０９と当止具１２１の上方係止縁１２９又は下方係止縁１３０に嵌合係止する係止具１４０，…をそれぞれ突設している。
【００５６】
そして、前記透光性パネル１３３の両側部の前記係止具１４０，…を所定高さの縦枠１０３の開口１０９，…に嵌合係止するとともに、中央部下部の前記係止具１４０を前記中横枠１０６に上方から嵌着した前記当止具１２１の上方係止縁１２９又は下横枠１０５に下方から嵌着した前記当止具１２１の下方係止縁１３０に係止して前記フレーム１０１の表裏両面から取付ける。勿論、この透光性パネル１３３をフレーム１０１に取付けた状態では、下方の横部材１３７の背面側中央部が前記当止具１２１の当止板部１２３に当止し、そして中央部下部の前記係止具１４０が前記当止具１２１の上方係止縁１２９又は下方係止縁１３０に係止することで、当該透光性パネル１３３の内外両方の撓みを防止するのである。
【図面の簡単な説明】
【００５７】
【図１】本発明の第1実施形態に係る連結装置を示す横断面図。
【図２】同じく連結装置により間仕切パネルを連結する構造を示す分解斜視図。
【図３】同じく連結装置の要部を示す縦断面図。
【図４】他のパネル連結形態を示す横断面図。
【図５】カバー部材を取り付けた変形例を示す横断面図。
【図６】同じく変形例におけるカバー部材を示す説明図。
【図７】更に他のパネル連結形態を示す横断面図。
【図８】コーナーカバーを示す斜視図。
【図９】さらに他のパネル連結形態を示す横断面図。
【図１０】連結部材の変形例を示す斜視図。
【図１１】本発明の第２実施形態に係る連結装置を示す分解斜視図。
【図１２】本発明の第３実施形態に係る連結装置を示す横断面図。
【図１３】スペーサ部材を連結ブロックに取り付ける様子を示す斜視図。
【図１４】本発明に使用した間仕切パネルの構造を示す部分分解斜視図。
【図１５】フレームの構造を示す正面図。
【図１６】パネル板を縦枠に取付ける構造を示す部分分解斜視図。
【図１７】フレームの横枠と当止具の関係を示す部分分解斜視図。
【図１８】当止具を示し、（ａ）は平面図、（ｂ）は側面図、（ｃ）は正面図、（ｄ）は断面図。
【図１９】パネル板の構造を示し、（ａ）は平面図、（ｂ）は背面図、（ｃ）は側面図。
【図２０】フレームの表裏両面にパネル板を取付けた状態の部分断面図。
【図２１】同じくフレームに取付けたパネル板と当止具の関係を示す部分断面図。
【図２２】パネル板の他の実施形態を示し、（ａ）は平面図、（ｂ）は背面図、（ｃ）は側面図。
【図２３】フレームの表裏両面に取付ける透光性パネルの構造を一部破断して示した部分分解斜視図。
【図２４】透光性パネルの構造を一部破断して示し、（ａ）は平面図、（ｂ）は背面図、（ｃ）は側面図。
【符号の説明】
【００５８】
１  連結装置              ２Ａ  間仕切パネル
２  間仕切パネル          ２Ｂ  間仕切パネル
３  間仕切パネル          ３Ａ  間仕切パネル
３Ｂ  間仕切パネル        ４  連結部材
６  取付部材              ７  ブラケット部材
７ａ  突条              ８Ａ、８Ｃ  連結部カバー
８Ｂ  コーナーカバー      ９  スペーサ部材
１０Ａ〜Ｃ  ブロック端面  １０ｂ  凹溝
１０ｃ  凹溝              １０ｄ  切欠溝
１０  連結ブロック        １１Ａ〜Ｄ  板状連結部
１２  取付部              １２ａ  突条
１２ｂ  螺溝              １３ａ  取付ボルト
１３  取付部              １４  螺溝
１５ｂ  凹溝              １５  凹部
１５ｃ  螺孔              １５ｄ  切欠溝
１６  螺孔                １７  凸条部
１７ｄ  切欠溝            １８  取付部
１８ａ  凸条部            １８ｂ  凹溝
１８ｃ  取付穴            １８ｄ  突起
１９  取付ボルト          １９ｂ  螺孔
２０  縦枠                ２０Ａ  縦枠
２０Ｂ  縦枠              ２１  パネル側端
２２  凹部                ２２ｂ  溝
２３  通孔                ２４  取付ボルト
２５  縦溝                ２６  通孔
３０Ａ  縦枠              ３０Ｂ  縦枠
３０Ａ  縦枠              ３１  パネル側端
４０  当接面              ４０ａ  突条
４０ｂ  凹溝              ４１  取付ボルト
４２  通孔                ４３  通孔
４４  取付面              ４５  突起
４５ａ  凹部              ４５ｃ  基端部
４６  取付金具            ４７  支持脚
４７ｃ  通孔              ４８  切欠部
５０  係止片              ５１  目地カバー
５２  カバー部材          ５３  カバー本体
５４  筒状凸部            ５５  フック
５６  取付ネジ            ６０  貫通孔
６１  突条                ６２  取付ネジ
６３  突条                ６４  取付ボルト
６５  螺孔                ７０  凹溝
７１  取付穴              ７２  取付ボルト
７３  突起                ７３ｃ  基端部
７４  突条                ８０Ａ〜Ｃ  本体部
８１  第一折曲部          ８２  第二折曲部
８３切欠溝                ８３ａ  段差部
８３ｂ  上縁部            ９０  板状本体部
９１  鍔条部              ９２  係止片
９３  通孔                １００  間仕切パネル
１０１  フレーム          １０２  パネル板
１０３  縦枠              １０４  上横枠
１０５  下横枠            １０６  中横枠
１０７  芯杆              １０８  係止杆
１０９  開口              １１０  係止孔
１１１  表面板            １１２  縁部
１１３  折曲板            １１４  補強部材
１１５  取付孔            １１７  下部連結具
１１８  上部連結具        １１９  下向きフック
１２０  係合爪            １２１  当止具
１２２  連結板部          １２３  当止板部
１２４  嵌合部            １２５  保持部
１２６  凹部              １２７  突起
１２８  突片              １２９  上方係止縁
１３０  下方係止縁        １３１  リブ
１３２  目地部材          １３３  透光性パネル
１３４  額縁部材          １３５  透光板
１３６  縦部材            １３７  横部材
１３８  Ｌ金具            １３９  保持縁
１４０  係止具            Ｂ  ボルト部材
Ｓ  空間
【図１】
2005133399.tif 000003
【図２】
2005133399.tif 000004
【図３】
2005133399.tif 000005
【図４】
2005133399.tif 000006
【図５】
2005133399.tif 000007
【図６】
2005133399.tif 000008
【図７】
2005133399.tif 000009
【図８】
2005133399.tif 000010
【図９】
2005133399.tif 000011
【図１０】
2005133399.tif 000012
【図１１】
2005133399.tif 000013
【図１２】
2005133399.tif 000014
【図１３】
2005133399.tif 000015
【図１４】
2005133399.tif 000016
【図１５】
2005133399.tif 000017
【図１６】
2005133399.tif 000018
【図１７】
2005133399.tif 000019
【図１８】
2005133399.tif 000020
【図１９】
2005133399.tif 000021
【図２０】
2005133399.tif 000022
【図２１】
2005133399.tif 000023
【図２２】
2005133399.tif 000024
【図２３】
2005133399.tif 000025
【図２４】
2005133399.tif 000026